(57)【要約】【課題】異なるモデルのカメラに共通に用いることができるとともに、ユーザが設定変更可能である、防水カメラケースを提供する。【解決手段】ユーザ調整可能な防水カメラケースは、異なるモデルのカメラを密封して内部に保持するハウジングと、ハウジングの開口部を通って延伸する作動シャフトと、作動シャフトの内側端部に接続されるプローブ保持部材と、カメラのオン／オフ・ボタンあるいはシャッターボタンと係合可能な位置にプローブ保持部材によって保持される調整可能プローブと、を有する。【選択図】図２６
0003175590.tif 000002
【実用新案登録請求の範囲】
【請求項１】
異なるモデルのカメラを密封して内部に保持するハウジングと、
ハウジングの開口部を通って延伸する作動シャフトと、
作動シャフトの内側端部に接続されるアクチュエータブロックと、
作動シャフトの軸に概ね垂直な第１軸に沿ってアクチュエータブロックに摺動可能に接続される第１部材と、
第１軸に概ね垂直な第２軸に沿って第１部材に摺動可能に接続される第２部材と、
カメラのボタンと係合可能な位置で第２部材上に配置される調整可能プローブと、
を備えるユーザ調整可能な防水カメラケースであって、
アクチュエータブロックと第１部材との間の接続、および第１部材と第２部材との間の接続は、溝・突起接続あるいはスロット・スライダ接続であるユーザ調整可能な防水カメラケース。
【請求項２】
請求項１に記載のユーザ調整可能な防水カメラケースであって、第１部材および第２部材のそれぞれは、スライディングブロックの態様であるユーザ調整可能な防水カメラケース。
【請求項３】
請求項１に記載のユーザ調整可能な防水カメラケースであって、アクチュエータブロックおよび第１部材のどちらか一方は第１溝部を有するよう形成され、アクチュエータブロックおよび第１部材のどちらか他方は、第１溝部に摺動可能に収容される第１突起部を有するよう形成されるとともに、第１部材および第２部材のどちらか一方は第２溝部を有するよう形成され、第１部材および第２部材のどちらか他方は第２溝部に摺動可能に収容される第２突起部を有するよう形成されるユーザ調整可能な防水カメラケース。
【請求項４】
請求項３に記載のユーザ調整可能な防水カメラケースであって、第１および第２溝部ならびに第１および第２突起部は、概ね断面Ｔ字形状あるいはＨ字形状であるユーザ調整可能な防水カメラケース。
【請求項５】
請求項１に記載のユーザ調整可能な防水カメラケースであって、アクチュエータブロックは２つのスロットを有するよう形成されており、第１部材は、アクチュエータブロックの２つのスロットからそれぞれ掛着されかつアクチュエータブロックの２つのスロットに沿ってそれぞれ摺動可能な２つのスライダを有するよう形成されているユーザ調整可能な防水カメラケース。
【請求項６】
請求項５に記載のユーザ調整可能な防水カメラケースであって、第１部材はスロットを有するよう形成されており、第２部材は、第１部材の該スロットから掛着されかつ第１部材の該スロットに沿って摺動可能なスライダを有するよう形成されているユーザ調整可能な防水カメラケース。
【請求項７】
請求項１に記載のユーザ調整可能な防水カメラケースであって、アクチュエータブロックは、対向する２つの側部に沿った２つの溝部を有するよう形成されており、第１部材は、アクチュエータブロックの２つの溝部からそれぞれ掛着されかつアクチュエータブロックの２つの溝部に沿ってそれぞれ摺動可能な２つのスライダを有するよう形成されているユーザ調整可能な防水カメラケース。
【請求項８】
請求項７に記載のユーザ調整可能な防水カメラケースであって、第１部材はスロットを有するよう形成されており、第２部材は、第１部材の該スロットから掛着されかつ第１部材の該スロットに沿って摺動可能なスライダを有するよう形成されているユーザ調整可能な防水カメラケース。
【請求項９】
請求項１に記載のユーザ調整可能な防水カメラケースであって、前記プローブは、該プローブをアクチュエータブロックに対して固定位置にロックするよう、ねじ係合によってナットと係合するねじ部を有するユーザ調整可能な防水カメラケース。
【請求項１０】
異なるモデルのカメラを密封して内部に保持するハウジングと、
ハウジングの開口部を通って延伸する作動シャフトと、
作動シャフトの内側端部に接続されるアクチュエータブロックと、
作動シャフトの軸に概ね垂直な第１軸に沿ってアクチュエータブロックに摺動可能に接続されるスライド部材と、
第１軸に概ね垂直な第２軸に沿ってスライド部材に摺動可能に接続されるスライドプローブであって、カメラのボタンと係合可能な位置に調整可能であるスライドプローブと、
を備えるユーザ調整可能な防水カメラケース。
【請求項１１】
請求項１０に記載のユーザ調整可能な防水カメラケースであって、アクチュエータブロックは２つのスロットを有するよう形成されており、スライド部材は、アクチュエータブロックの２つのスロットからそれぞれ掛着されかつアクチュエータブロックの２つのスロットに沿ってそれぞれ摺動可能な２つのスライダを有するよう形成されているユーザ調整可能な防水カメラケース。
【請求項１２】
請求項１１に記載のユーザ調整可能な防水カメラケースであって、スライド部材はスロットを有するよう形成されており、スライドプローブは、スライド部材の該スロットから掛着されかつスライド部材の該スロットに沿って摺動可能なスライダを有するよう形成されているユーザ調整可能な防水カメラケース。
【請求項１３】
請求項１０に記載のユーザ調整可能な防水カメラケースであって、アクチュエータブロックは、対向する２つの側部に沿った２つの溝部を有するよう形成されており、スライド部材は、アクチュエータブロックの２つの溝部からそれぞれ掛着されかつアクチュエータブロックの２つの溝部に沿ってそれぞれ摺動可能な２つのスライダを有するよう形成されているユーザ調整可能な防水カメラケース。
【請求項１４】
請求項１３に記載のユーザ調整可能な防水カメラケースであって、スライド部材はスロットを有するよう形成されており、スライドプローブは、スライド部材の該スロットから掛着されかつスライド部材の該スロットに沿って摺動可能なスライダを有するよう形成されているユーザ調整可能な防水カメラケース。
【請求項１５】
請求項１０に記載のユーザ調整可能な防水カメラケースであって、前記プローブは、該プローブをアクチュエータブロックに対して固定位置にロックするよう、ねじ係合によってナットと係合するねじ部を有するユーザ調整可能な防水カメラケース。
【考案の詳細な説明】
【技術分野】
【０００１】
本考案は、ユーザ調整可能な防水カメラケースに関する。
【背景技術】
【０００２】
従来の防水カメラケースは、専用のカメラと共に用いられるように設計されていた。
【考案の概要】
【考案が解決しようとする課題】
【０００３】
ユーザが構成することができるとともに異なるモデルのカメラと共に用いることができる、防水カメラケースの改良を提供するニーズがある。
【課題を解決するための手段】
【０００４】
一の態様では、ユーザ調整可能な防水カメラケースは、ハウジングと、作動シャフトと、アクチュエータブロックと、第１部材と、第２部材と、調整可能プローブと、を有する。ハウジングは、異なるモデルのカメラを密封して内部に保持する。作動シャフトは、ハウジングの開口部を通って延伸する。アクチュエータブロックは、作動シャフトの内側端部に接続される。第１部材は、作動シャフトの軸に概ね垂直な第１軸に沿ってアクチュエータブロックに摺動可能に接続される。第２部材は、第１軸に概ね垂直な第２軸に沿って第１部材に摺動可能に接続される。調整可能プローブは、カメラのボタンと係合可能な位置で第２部材上に配置される。
【０００５】
一の態様では、アクチュエータブロックと第１部材との間の接続、および第１部材と第２部材との間の接続は、溝・突起接続である。他の態様では、アクチュエータブロックと第１部材との間の接続、および第１部材と第２部材との間の接続は、スロット・スライダ接続である。一の態様では、プローブは、プローブをアクチュエータブロックに対して固定位置にロックするよう、ねじ係合によってナットと係合するねじ部を有する。一の態様では、第１部材および第２部材のそれぞれは、スライディングブロックの態様である。
【０００６】
一の態様では、アクチュエータブロックおよび第１部材のどちらか一方は第１溝部を有するよう形成され、アクチュエータブロックおよび第１部材のどちらか他方は、第１溝部に摺動可能に収容される第１突起部を有するよう形成されるとともに、第１部材および第２部材のどちらか一方は第２溝部を有するよう形成され、第１部材および第２部材のどちらか他方は第２溝部に摺動可能に収容される第２突起部を有するよう形成される。第１および第２溝部ならびに第１および第２突起部は、概ね断面台形あるいはＴ字形状とできる。アクチュエータブロックおよび第２部材は、概ね断面Ｈ字形状とできる。
【０００７】
一の態様では、アクチュエータブロックは２つのスロットを有するよう形成されており、第１部材は、アクチュエータブロックの２つのスロットからそれぞれ掛着されかつアクチュエータブロックの２つのスロットに沿ってそれぞれ摺動可能な２つのスライダを有するよう形成されている。第１部材はスロットを有するよう形成されており、第２部材は、第１部材の該スロットから掛着されかつ第１部材の該スロットに沿って摺動可能なスライダを有するよう形成されている。
【０００８】
他の態様では、アクチュエータブロックは、対向する２つの側部に沿った２つの溝部を有するよう形成されており、第１部材は、アクチュエータブロックの２つの溝部からそれぞれ掛着されかつアクチュエータブロックの２つの溝部に沿ってそれぞれ摺動可能な２つのスライダを有するよう形成されている。第１部材はスロットを有するよう形成されており、第２部材は、第１部材の該スロットから掛着されかつ第１部材の該スロットに沿って摺動可能なスライダを有するよう形成されている。
【０００９】
他の面では、ユーザ調整可能な防水カメラケースは、ハウジングと、作動シャフトと、アクチュエータブロックと、スライド部材と、スライドプローブと、を有する。ハウジングは、異なるモデルのカメラを密封して内部に保持する。作動シャフトは、ハウジングの開口部を通って延伸する。アクチュエータブロックは、作動シャフトの内側端部に接続される。スライド部材は、作動シャフトの軸に概ね垂直な第１軸に沿ってアクチュエータブロックに摺動可能に接続される。スライドプローブは、第１軸に概ね垂直な第２軸に沿ってスライド部材に摺動可能に接続される。スライドプローブは、カメラのボタンと係合可能な位置に調整可能である。
【００１０】
一の態様では、アクチュエータブロックは２つのスロットを有するよう形成されており、スライド部材は、アクチュエータブロックの２つのスロットからそれぞれ掛着されかつアクチュエータブロックの２つのスロットに沿ってそれぞれ摺動可能な２つのスライダを有するよう形成されている。スライド部材はスロットを有するよう形成されており、スライドプローブは、スライド部材の該スロットから掛着されかつスライド部材の該スロットに沿って摺動可能なスライダを有するよう形成されている。
【００１１】
他の態様では、アクチュエータブロックは、対向する２つの側部に沿った２つの溝部を有するよう形成されており、スライド部材は、アクチュエータブロックの２つの溝部からそれぞれ掛着されかつアクチュエータブロックの２つの溝部に沿ってそれぞれ摺動可能な２つのスライダを有するよう形成されている。スライド部材はスロットを有するよう形成されており、スライドプローブは、スライド部材の該スロットから掛着されかつスライド部材の該スロットに沿って摺動可能なスライダを有するよう形成されている。
【００１２】
本実用新案登録出願に開示するユーザ調整可能な防水カメラケースの具体的な実施形態を添付の図面を参照して例示的に説明する。
【図面の簡単な説明】
【００１３】
【図１】本実用新案登録出願において開示される実施形態にかかるユーザ調整可能な防水カメラケースの正面図である。
【図２】前部ハウジングの内部を示す、開いた状態の防水カメラケースの部分斜視図である。
【図３】防水カメラケースの前部ハウジングの背面図である。
【図４】防水カメラケースの断面図である。
【図５】シャッタアクチュエータアセンブリの斜視図である。
【図６】オン／オフ・アクチュエータアセンブリの断面図である。
【図７】シャッタアクチュエータアセンブリの他の実施形態の斜視図である。
【図８】図７のシャッタアクチュエータアセンブリの縦方向の断面図である。
【図９】図７のシャッタアクチュエータアセンブリの横方向の断面図である。
【図１０】図７のシャッタアクチュエータアセンブリのスロットおよびプローブを示すＣ−クランプの底面図である。
【図１１】本実用新案登録出願において開示されるさらなる実施形態にかかるシャッタおよびオン／オフ・アクチュエータアセンブリの背面図である。
【図１２】図１１のオン／オフ・アクチュエータアセンブリの斜視図である。
【図１３】図１１のシャッタアクチュエータアセンブリの斜視図である。
【図１４】図１２のオン／オフ・アクチュエータアセンブリの分解組立図である。
【図１５】図１３のシャッタアクチュエータアセンブリの分解組立図である。
【図１６】シャッタおよびオン／オフ・アクチュエータアセンブリのプローブの一例を示す部分斜視図である。
【図１７】シャッタおよびオン／オフ・アクチュエータアセンブリのプローブの一例を示す部分斜視図である。
【図１８】シャッタおよびオン／オフ・アクチュエータアセンブリのプローブの一例を示す部分斜視図である。
【図１９】シャッタおよびオン／オフ・アクチュエータアセンブリの斜視図である。
【図２０】図１９におけるシャッタおよびオン／オフ・アクチュエータアセンブリの底面図である。
【図２１】シャッタおよびオン／オフ・アクチュエータアセンブリの他の実施形態の斜視図である。
【図２２】図２１のシャッタおよびオン／オフ・アクチュエータアセンブリの底面図である。
【図２３】後部ハウジングに配置された複数の後部クッションを示す。
【図２４】後部ハウジングに配置されたフレーム形状クッションを示す。
【図２５】前部ハウジングに配置された上部および側部クッションを示す。
【図２６】他の実施形態のシャッタアクチュエータアセンブリのプローブの一例を示す斜視図である。
【図２７】他の実施形態のシャッタアクチュエータアセンブリのプローブの一例を示す斜視図である。
【図２８】他の実施形態のシャッタアクチュエータアセンブリのプローブの一例を示す斜視図である。
【図２９】さらに他の実施形態のシャッタアクチュエータアセンブリのプローブの一例を示す斜視図である。
【図３０】さらに他の実施形態のシャッタアクチュエータアセンブリのプローブの一例を示す斜視図である。
【図３１】さらに他の実施形態のシャッタアクチュエータアセンブリのプローブの一例を示す斜視図である。
【図３２】さらに他の実施形態のシャッタアクチュエータアセンブリのプローブの一例を示す斜視図である。
【図３３】さらに他の実施形態のシャッタアクチュエータアセンブリのプローブの一例を示す斜視図である。
【図３４】さらに他の実施形態のシャッタアクチュエータアセンブリのプローブの一例を示す斜視図である。
【考案を実施するための形態】
【００１４】
次に、本実用新案出願において開示するユーザ調整可能な防水カメラケースの実施形態の説明を詳細に行う。実施形態の例もまた以下に説明する。本実用新案登録出願において開示するユーザ調整可能な防水カメラケースの例示的な実施形態を詳細に説明するが、ユーザ調整可能な防水カメラケースの理解にとって特に重要でないいくつかの特徴を明瞭のために示していない場合があることは当業者には理解されよう。
【００１５】
ある用語は、以下の記述において便宜上にのみ用いられ、限定するものではない。語「右」、「左」、「上側」、「下側」、「上部」あるいは「底部」は、参照する図面における方向をいう。用語は、上述の語ならびにその派生語および同様な意味の語を含む。さらに、ここで用いる言葉「ボタン」は、カメラのシャッターボタンあるいはオン／オフ・ボタンをいう。
【００１６】
図面の全体を通して同様な参照符号が同様なパーツに付されている図面を参照して、図１は、本実用新案登録出願において開示された実施形態にかかる、ユーザ調整可能な防水カメラケース１０の正面図であり、図２乃至図３は、防水カメラケース１０の内部構造を示している。防水カメラケース１０は、最もコンパクトなタイプのカメラ特にデジタルカメラに適しているユーザ調整可能なハード保護ケースである。構成を、異なるサイズの、異なる位置のシャッターボタンおよびオン／オフ・ボタンを有する異なるカメラ、ならびに異なるサイズおよび位置のレンズと整合するよう、変更することができる。
【００１７】
カメラケース１０は、カメラの内部の電子的・機械的・光学的パーツを水によるダメージからカメラを保護するために用いることができる。また、埃、砂および汚れからカメラを保護することができる。深さ４０メートルまで水中で使用することができる。ほとんどのウォータースポーツ・アクティビティ、例えば、水泳、サーフィン、ウィンドサーフィン、水上スケート、ヨット、シュノーケリング、ダイビングあるいは雨中／雪中写真撮影に適している。
【００１８】
カメラケース１０は、前部ハウジング１２と、後部ハウジング１４と、キャビティ１６と、ヒンジ１８と、オン／オフ・アクチュエータアセンブリ／機構２０と、シャッタアクチュエータアセンブリ／機構２２と、右ハンドル２４と、左ハンドル２６と、脚部２８と、ヒールプレート３０と、を有することができる。前部・後部ハウジング１２、１４をプラスチックあるいは他の適当な材料で形成することができる。カメラケース１０の内部は、異なるサイズ（幅、高さおよび厚さ）の異なるカメラを収容することができる程度に十分に大きい。
【００１９】
２つの主なタイプのデジタルカメラ、すなわち円形ズームレンズタイプ（ｒｏｕｎｄ  ｚｏｏｍ  ｌｅｎｓ  ｔｙｐｅ）とフラットレンズタイプ（ｆｌａｔ  ｌｅｎｓ  ｔｙｐｅ）とがある。したがって、少なくとも２つのタイプの防水カメラケース１０を、２つの異なるタイプのカメラを収容するために設計することもできる。円形ズームレンズタイプのための構成可能な防水コンパクトデジタルカメラケース１０を、図４に示す。前部ハウジング１２におけるレンズキャビティでは、各カメラタイプのズームレンズがカメラボディから外側に延出することができる。フラットレンズタイプのための防水コンパクトデジタルカメラケースは、レンズ窓設計が異なる以外は円形ズームレンズタイプのためのものと同様である。
【００２０】
前部ハウジング１２は、構成可能な防水カメラケース１０の本体と見なすことができる。図２に示されるように、カメラケース１０のほとんどの他のコンポーネントは、前部ハウジングに含まれている、すなわち装着されている。後部ハウジング１４は、前部ハウジング１２と整合しなければならない。後部ハウジングは通常透明である、あるいは透明な窓を有する。後部ハウジングは、ユーザがカメラをカメラケース１０に装着するための、前部ハウジング１２に対する「カバー」として機能することができる。透明な後部ハウジング１４により、ユーザはカメラケース１０の内部のデジタルカメラのカメラディスプレイ上の写真を撮ろうとする被写体を見ることができる。後部ハウジング１４の一方の端部を、前部ハウジング１２に接続しているヒンジ１８によって取り付けることができる。後部ハウジング１４の他方の端部を、ロック構造によって取り付けることができる。カメラケース１０を封止するために、従来のO−リングガスケットを前部・後部ハウジング１２、１４の間に配置することができる。
【００２１】
図５乃至図６は、オン／オフ・アクチュエータ機構１２０およびシャッタアクチュエータ機構１２２の第１実施形態をそれぞれ示す。
【００２２】
図６を参照して、シャッタアクチュエータ機構すなわちアセンブリ１２２を、カメラケース１０の前部ハウジング１２に配置することができる。これにより、ユーザは、カメラケース１０の外側からバネ荷重されたアクチュエータシャフト１４０を通じてカメラのシャッタを制御することができる。
【００２３】
アクチュエータシャフト１４０は、カメラケース１０に配置された開口部を通って延びている。アクチュエータシャフト１４０の内側端部はカメラケース１０の内部に配置される。また、アクチュエータシャフト１４０の外側端部はカメラケース１０の外部に配置される。アクチュエータシャフト１４０には、アクチュエータシャフト１４０の外側端部にシャッタノブすなわちボタン１４２を配置することができる。シャッタノブ１４２をプラスチックあるいは金属材料で形成することができる。アクチュエータシャフト１４０を、前部ハウジング１２に、スプリング１４４、ワッシャ１４６および小さいO−リングガスケット１４８によって装着することができる。スプリング１４４の目的は、「はね返り」力をシャッタアクチュエータ機構１２２に与え、シャッタノブ１４２が解放されたときにシャッタアクチュエータ機構１２２が元の位置に戻ることができるようにするためである。ワッシャ１４６の目的は、O−リングガスケット１４８が上に移動することを防止するよう保持することである。O−リングガスケット１４８の断面を円形とすることができる。O−リングガスケットをゴム、シリコーンあるいはプラスチックなどの弾性材料で形成することができる。O−リングガスケット１４８の目的は、カメラケース１０を封止し、シャッタアクチュエータ機構１２２が押されそして解放されときにカメラケース１０内に水が流れ込むことを防止することである。O−リングガスケット１４８は、O−リングガスケット４８がシャッタO−リングキャビティに嵌合されたとき、アクチュエータシャフト１４０の直径より小さい内径を有することができる。アクチュエータシャフト１４０がリングに挿入されたとき、O−リングガスケット１４８は変形され、アクチュエータシャフト１４０と前部ハウジング１２におけるシャッタO−リングキャビティとの両方に対して押されることとなる。したがって、O−リングガスケットは水封止機能を果たす。ガスケット１４８に、封止コンパウンド材を注油し、封止性能を向上することもできる。
【００２４】
シャッタアクチュエータ機構１２２はプローブ保持部材を有することができる。図示の実施形態において、プローブ保持部材はアクチュエータブロック１５０である。アクチュエータブロック１５０を、複数の孔を有する長方形あるいは他の形状とすることができる。アクチュエータブロック１５０をプラスチックあるいは金属材料で形成することができる。アクチュエータブロック１５０は、一方の側に、上部の直径が大きく、より下方の直径が小さい１つの孔１８０を有することができる。孔１８０により、アクチュエータシャフト１４０をこの孔１８０へと締め付けてアクチュエータシャフト１４０によってアクチュエータブロック１５０を装着することができる。アクチュエータシャフト１４０は、アクチュエータシャフト１４０の端部の近くにより小さい直径の段部を有することができ、これにより、アクチュエータシャフト１４０をそこに止めることができる。そして、ロック部材１５４を開口部１５５を通してアクチュエータシャフト１４０上の対応する溝に装着することによって、アクチュエータシャフト１４０をアクチュエータブロック１５０にロックすることができる。図示の実施形態において、ロック部材はＥ−リングである。シャッタノブ１４２が押されている間、アクチュエータブロック１５０は下方に移動する。前部ハウジング１２には、アクチュエータブロック１５０がその垂直位置にかかわらず回転するのを防止するようアクチュエータブロック１５０の端部に壁を配置することができる。
【００２５】
異なるモデルの異なるカメラと整合するために、アクチュエータブロック１５０には、アクチュエータブロック１５０上の異なる孔１６２に異なる長さおよび形状（円形、楕円形など）の複数のプローブ１６０を配置することができる。それぞれのプローブ１６０には、端部にプローブシャフト１６４を配置することができ、それぞれのプローブ１６０をアクチュエータブロック１５０上の孔１６２に圧入することができる。製造業者あるいはユーザのいずれも、これらのプローブを自ら変更することができる。
【００２６】
図５を参照して、オン／オフ・アクチュエータ機構すなわちアセンブリ１２０が、また、ユーザがカメラのスイッチをオンあるいはオフにすることができるようカメラケース１０の上部に配置される。オン／オフ・アクチュエータアセンブリ１２０の機構は、上述したシャッタアクチュエータ機構１２２と同じとすることができる。シャッタアクチュエータ機構１２２と同様に異なるカメラのモデルと整合するために、オン／オフ・アクチュエータ機構１２０には、また、アクチュエータブロック１５０’上の異なる孔１６２’に異なる長さおよび形状のプローブ１６０’を配置することができる。製造業者あるいはユーザのいずれも、これらのプローブを自ら変更することができる。
【００２７】
アクチュエータブロック１５０あるいは１５０’を概ね四角形の態様で示したが、アクチュエータブロック１５０あるいは１５０’はプローブ１６０あるいは１６０’を保持できる限りあらゆる態様のプローブ保持部材とすることができることは理解されよう。
【００２８】
図７乃至図１０は、シャッタアクチュエータ機構の他の実施形態を示す。対応するオン／オフ・アクチュエータ機構は同様の構造を有する。シャッタアクチュエータ機構２２２は、アクチュエータシャフト２４０と、シャッタノブ２４２と、スプリング２４４と、ワッシャ２４６と、O−リングガスケット２４８と、プローブ保持部材２７０と、スライド２７２と、ロッキングブロック２７４と、プローブシャフト２７６と、プローブパッド２７８と、を有することができる。図示の実施形態において、プローブ保持部材２７０はアクチュエータブロックであり、また、スライド２７２はＣ−クランプである。
【００２９】
アクチュエータブロック２７０を、両側にトラックを有する長方形あるいは他の形状の態様とすることができる。アクチュエータブロック２７０をプラスチックあるいは金属材料で形成することができる。アクチュエータブロック２７０は、一方の側に、上部の直径が大きく、より下方の直径が小さい１つの孔２８０を有する。孔２８０により、アクチュエータシャフト２４０をこの孔２８０へと締め付けてアクチュエータシャフト２４０によってアクチュエータブロック２７０を装着することができる。アクチュエータシャフト２４０は、アクチュエータシャフト２４０の端部の近くにより小さい直径の段部を有することができ、これにより、アクチュエータシャフト２４０をそこに止めることができる。そして、ロック部材すなわちＥ−リング２５４を開口部２７３を通してアクチュエータシャフト２４０の下端部に固定することによって、アクチュエータシャフト２４０をアクチュエータブロック２７０にロックすることができる。シャッタノブ２４２が押されている間、アクチュエータブロック２７０は下方に移動する。前部ハウジング１２には、アクチュエータブロック２７０がその垂直位置にかかわらず回転するのを防止するようアクチュエータブロック２７０の端部に壁２５７を配置することができる。
【００３０】
Ｃ−クランプ２７２を、アクチュエータブロック２７０の２つのトラックに掛着されるよう、装着することができる。Ｃ−クランプ２７２を金属など剛性のある材料で形成することができる。Ｃ−クランプ２７２がロックされない場合、Ｃ−クランプはアクチュエータブロック２７０に沿ってＸ方向に移動自在である。Ｃ−クランプ２７２は、Ｘ方向、すなわちアクチュエータシャフト２４０の軸に概ね垂直な平面上のＸ軸に沿って可動である。
【００３１】
ナットすなわちロッキングブロック２７４を、アクチュエータブロック２７０とＣ−クランプ２７２との間に配置することができる。プローブシャフト２７６をＣ−クランプ２７２のスロット２８２を通して底部からねじ込むことができるネジ穴を、ロッキングブロック２７４に配置する。プローブシャフト２７６を金属あるいは他の適当な材料で形成することができる。プローブシャフトは、上側部分にネジ山と中央に六角形のボルトあるいは他の形状のボルトとを有するよう、機械加工される。ロックされない場合、プローブシャフト２７６はＣ−クランプ２７２のスロット２８２に沿ってＹ方向に移動自在である。Ｙ方向は、Ｘ方向に対して概ね垂直である。Ｃ−クランプ２７２のウェブ（ｗｅｂ）２８４は、ロッキングブロック２７４を回転しないよう保持することができる。ウェブ２８４は、また、Ｃ−クランプ２７２を強化し、Ｃ−クランプ２７２が曲がることを防止することができる。プローブシャフト２７６が装着されたとき、プローブシャフト２７６はＸあるいはＹ方向に移動自在である。プローブシャフト２７６がさらにねじ込まれた場合、ロッキングブロック２７４はＣ−クランプ２７２をアクチュエータブロック２７０に向かって引っ張ることになり、したがって、アクチュエータブロック２７０とＣ−クランプ２７２とロッキングブロック２７４とプローブシャフト２７６との間の摩擦力が生じる。そして、プローブシャフト２７６はアクチュエータブロック２７０に対して固定位置にロックされることになる。この設計により、プローブシャフト２７６を、アクチュエータブロック２７０およびＣ−クランプ２７２のスロット２８２に沿って無段階に、あらゆる位置に配置することができる。異なるカメラに対して、その製品に応じて異なる長さのプローブシャフト２７６を用いる必要がある場合もある。製造業者あるいはユーザは、プローブシャフトを自ら変更することができる。
【００３２】
プローブパッド２７８を、カメラのボタンの形状と整合する異なる形状を有する弾性材料で形成することができる。カメラのボタンを押すとともにシャフト２７６がカメラボタン面に傷をつけることを防止するために、プローブパッドを、カメラに面するプローブシャフト２７６の底部の端部に装着することができる。プローブパッド２７８をプローブシャフト２７６に向かって押すことによって、プローブパッド２７８を容易に装着することができる。プローブシャフト２７６上のギャップによって、プローブパッドを自らロックさせることができる。
【００３３】
図１１乃至図１５は、本実用新案登録出願において開示されるさらなる実施形態にかかる、シャッタアクチュエータ機構３２２とオン／オフ・アクチュエータ機構３２０との組み合わせを示す。
【００３４】
図１３および図１５を参照して、シャッタアクチュエータ機構３２２は、アクチュエータシャフト３４０と、シャッタノブ３４２と、スプリング３４４と、ワッシャ３４６と、O−リングガスケット３４８と、プローブ保持部材３７０と、スライド３７２と、プローブシャフト３７６と、プローブパッド３７８と、を有することができる。図示の実施形態において、プローブ保持部材３７０はアクチュエータブロックであり、また、スライド３７２はＣ−クランプである。
【００３５】
アクチュエータブロック３７０を、両側に対向する平行なトラック３７１を有する長方形あるいは他の形状の態様とすることができる。アクチュエータブロック３７０をプラスチックあるいは金属材料で形成することができる。アクチュエータブロック３７０は、一方の側に、上部の直径が大きく、より下方の直径が小さい１つの孔３８０を有することができる。孔３８０により、アクチュエータシャフト３４０をこの孔３８０へと締め付けてアクチュエータシャフト３４０によってアクチュエータブロック３７０を装着することができる。アクチュエータシャフト３４０は、アクチュエータシャフト３４０の端部の近くにより小さい直径の段部を有することができ、これにより、アクチュエータシャフト３４０をそこに止めることができる。そして、ロック部材すなわちＥ−リング３５４を開口部３７３に挿入し、Ｅ−リング３５４をシャフト３４０上の対応する溝内へ係合させ、アクチュエータシャフト３４０を孔３８０にロックすることによって、アクチュエータシャフト３４０をアクチュエータブロック３７０にロックすることができる。シャッタノブ３４２が押されている間、アクチュエータブロック３７０は下方に移動する。前部ハウジング１２には、アクチュエータブロック３７０がその垂直位置にかかわらず回転するのを防止するようアクチュエータブロック３７０の端部に壁３５７（図１１および図１６乃至図１８）を配置することができる。
【００３６】
Ｃ−クランプ３７２を、アクチュエータブロック３７０の２つの対向する平行なトラック３７１に掛着されるよう、装着することができる。Ｃ−クランプ３７２を金属など剛性のある材料で形成することができる。Ｃ−クランプ３７０がロックされない場合、Ｃ−クランプはアクチュエータブロック３７２に沿ったＸ方向に移動自在である。
【００３７】
プローブシャフト３７６を金属あるいは他の適当な材料で形成することができる。プローブシャフトは、上側部分にネジ山と中央に六角形のボルトあるいは他の形状のボルトとを有するよう、機械加工される。ロックされない場合、プローブシャフト３７６はＣ−クランプ３７２のスロット３８２に沿ったＹ方向に移動自在である。プローブシャフト３７６が装着されたとき、プローブシャフト３７６はＸあるいはＹ方向に移動自在である。プローブシャフト３７６がさらにねじ込まれた場合、アクチュエータブロック３７０に支えられる。そして、プローブシャフト３７６はアクチュエータブロック３７０に対して固定位置にロックされることができる。この設計により、プローブシャフト３７６を、アクチュエータブロック３７０およびＣ−クランプ３７２のスロット３８２に沿って無段階に、あらゆる位置に配置することができる。異なるカメラに対して、その製品に応じて異なる長さのプローブシャフト３７６を用いる必要があるかもしれない。製造業者あるいはユーザは、自ら変更することができる。
【００３８】
プローブパッド３７８を、カメラのボタンの形状と整合する異なる形状を有する弾性材料で形成する。カメラのボタンを押すとともにシャフト３７６がカメラボタン面に傷をつけることを防止するために、プローブパッドを、プローブシャフト３７６の底部の端部に装着することができる。プローブパッド３７８をプローブシャフト３７８に向かって押すことによって、プローブパッド３７６を容易に装着することができる。プローブシャフト３７６上のギャップによって、プローブパッドを自らロックさせることができる。
【００３９】
アクチュエータブロック３７０を概ね四角形の態様で示したが、アクチュエータブロック３７０はプローブシャフト３７６を保持できる限りあらゆる態様のプローブ保持部材とすることができることは理解されよう。
【００４０】
図１２および図１４のオン／オフ・アクチュエータ機構３２０は、図１３および図１５のシャッタアクチュエータ機構３２２と同様な構造を有する。
【００４１】
図１６乃至１８は、異なる位置のシャッターボタンおよびオン／オフ・ボタンを有する異なるカメラに対する、シャッタアクチュエータ機構３２２およびオン／オフ・アクチュエータ機構３２０の３つの異なる構成を示す。
【００４２】
図１９および図２０は、シャッタアクチュエータ機構３２２およびオン／オフ・アクチュエータ機構３２０の異なる実施形態を示す。本実施形態において、２つのアクチュエータブロック３７０、３７０’および２つのＣクランプ３７２、３７２’はともに先の実施形態に対して９０度方向が変えられている。図２１および図２２は、２つのアクチュエータブロック３７０、３７０’および２つのＣクランプ３７２、３７２’が互いから９０度方向が変えられている、シャッタアクチュエータ機構３２２およびオン／オフ・アクチュエータ機構３２０のさらなる実施形態を示す。
【００４３】
異なるサイズのカメラをカメラケース１０の内部にぴったり収めることを可能にするために、異なる形状およびサイズの複数のクッションを、前部・後部ハウジング１２、１４の内面に配置することができる。
【００４４】
図３および図４に示すように、前部ハウジング１２の内面はいくつかの段壁（ｓｅｔｏｆｆ）を有することができ、前部クッション３４をこれらの段壁に取り付けることができる。クッション３４を、円形あるいは他の形状とでき、そして柔軟なあるいは弾性のある材料、例えばゴム、シリコーン、プラスチック、ラテックスで形成することができる。クッション３４は、その底部上に耐水性の自己接着材料を有することができる。クッション３４を、単にワックス紙（ｗａｘ  ｐａｐｅｒ）を取り外し段壁へと容易に装着し、そしてある程度の圧力をクッション３４に印加することによってクッション３４をハウジング１２に取り付けることができる。複数のクッションは異なる厚さを有することができる。異なる厚さの目的は、カメラケース１０のキャビティ１６内で前部ハウジング１２から最適な距離にカメラを配置することにある。さらに、シャッターボタンおよび／またはオン／オフ・ボタンが、防水カメラケース１０のシャッタ機構およびオン／オフ・アクチュエータ機構内に収まるように、カメラを配置することができる。
【００４５】
図２３は、スポンジ、シリコーン、ラテックスあるいはプラスチックなど柔軟な材料で形成され、後部ハウジング１４の内側面に取り付けることができる複数の後部クッション１３４を示す。クッション１３４を、円形、四角形あるいは他のなにかの形状とできる。クッションは、カメラがカメラケース１０の内部で移動することを防止するよう、カメラを前部ハウジング１２の定位置に押しつけるよう使用する。
【００４６】
図２４は、後部クッション１３６の他の実施形態を示す。後部クッション１３６を、概ね長方形のフレームの形状にすることもできる。フレームの窓をカメラのディスプレイと同じサイズとすることができ、それにより、フレームが、後部ハウジング１４を通じてカメラディスプレイを覗くときの外光によるディスプレイへの影響を排除するカメラディスプレイ用の光フードとして機能することができる。
【００４７】
図２、図３および図２５に示すように、カメラを定位置に保持するために、弾性クッション３６を保持するクッションホルダーを他の位置に配置する。これらのクッション３６は弾性材料で形成され、また「魚の尻尾（ｆｉｓｈ  ｔａｉｌ）」形状を有することができる。これらのクッション３６を、クッションホルダーによって定位置に保持することができる。
【００４８】
図２６乃至図２８は、シャッタアクチュエータ機構２２２の他の実施形態を示す。シャッタアクチュエータ機構２２２は、アクチュエータシャフト２４０と、シャッタノブ２４２と、アクチュエータブロック２９０と、Ｙ軸に沿って移動可能な第１部材２９２と、Ｘ軸に沿って移動可能な第２部材２９４と、調整可能プローブ２９６と、を有することができる。
【００４９】
アクチュエータブロック２９０を、長方形あるいは他の形状の態様とすることができる。第１突起部２９１を、アクチュエータブロック２９０の底部に形成できる。第１の溝部２９３を、第１部材２９２の上部に形成できる。第１突起部２９１を、第１溝部２９３に摺動可能に収容できる。アクチュエータブロック２９０および第１部材２９２を、摺動可能に互いに接続できる。第１突起部２９１および第１溝部２９３の断面は、二等辺四辺形など、概ね台形とできる。
【００５０】
第１部材２９２を、アクチュエータブロック２９０の第１突出部２９１に掛着されることができるよう、装着することができる。第１部材２９２がロックされない場合、第１部材２９２を、アクチュエータブロック２９０の第１突起部２９１に沿ってＹ方向に移動自在とできる。第１部材２９２は、Ｙ方向、すなわちアクチュエータシャフト２４０の軸に概ね垂直な平面上のＹ軸に沿って可動である。
【００５１】
第２溝部２９５を、第１部材２９２の底部に形成できる。第２突起部２９７を、第２部材２９４の上部に形成できる。第２溝部２９５および第２突起部２９７の断面は、二等辺四辺形など、概ね台形とできる。第２突起部２９７を第１部材２９２の第２溝部２９５に摺動可能に収容できるよう、第２突起部２９７が第１部材２９２の第２溝部２９５から掛着されることができるよう、第２部材２９４を設置できる。第２部材２９４がロックされない場合、第２部材２９４を、第１部材２９２の溝部２９５に沿ってＸ方向に移動自在とできる。第２部材２９４は、Ｘ方向、すなわちＹ軸に概ね垂直な平面上のＸ軸に沿って可動である。
【００５２】
調整可能プローブ２９６を第２部材２９４に配置できる。プローブ２９６は、第２部材２９４とともに移動することができる。プローブ２９６の位置は調整可能である。プローブ２９６は、ある位置でカメラのボタンと係合することができる。
【００５３】
第１および第２部材２９２、２９４は、概ね長方形のスライディングブロックの態様とできる。第１および第２溝部ならびに第１および第２突起部２９１、２９３、２９５、２９７を、アクチュエータブロック２９０ならびに第１および第２部材２９２、２９４と一体的に形成できる。第１突起部２９１および第１溝部２９３をアクチュエータブロック２９０および第１部材２９２にそれぞれ形成することを図示し説明したが、代わりに、第１突起部２９１を第１部材２９２に形成でき、第１溝部２９３をアクチュエータブロック２９０に形成することもできることは理解されよう。同様に、第２突起部２９７を第１部材２９２に形成でき、第２溝部２９５を第２部材２９４に形成することもできる。
【００５４】
アクチュエータブロック２９０、第１および第２部材２９２、２９４、ならびにプローブ２９６は、プラスチック、金属あるいは他の適当な材料で形成できる。
【００５５】
図２９乃至図３１は、シャッタアクチュエータ機構２２２のさらなる実施形態を示す。シャッタアクチュエータ機構２２２は、アクチュエータシャフト２４０と、シャッタノブ２４２と、アクチュエータブロック２９０と、第１部材２９２と、第２部材２９４と、調整可能プローブ２９６と、を有することができる。
【００５６】
アクチュエータブロック２９０を、長方形あるいは他の形状の態様とすることができる。第１突起部２９１を、アクチュエータブロック２９０の底部に形成できる。第１の溝部２９３を、第１部材２９２の上部に形成できる。第１突起部２９１を、第１溝部２９３に摺動可能に収容できる。アクチュエータブロック２９０および第１部材２９２を、摺動可能に互いに接続できる。第１突起部２９１および第１溝部２９３の断面は、概ねＴ字形状とできる。アクチュエータブロック２９０の断面は、概ねＨ字形状とできる。
【００５７】
第１部材２９２を、アクチュエータブロック２９０の第１突出部２９１に掛着されることができるよう、装着することができる。第１部材２９２がロックされない場合、第１部材２９２を、アクチュエータブロック２９０の第１突起部２９１に沿ってＹ方向に移動自在とできる。第１部材２９２は、Ｙ方向、すなわちアクチュエータシャフト２４０の軸に概ね垂直な平面上のＹ軸に沿って可動である。
【００５８】
第２溝部２９５を、第１部材２９２の底部に形成できる。第２突起部２９７を、第２部材２９４の上部に形成できる。第２溝部２９５および第２突起部２９７の断面は、概ねＴ字形状とできる。第２部材２９４の断面は、概ねＨ字形状とできる。第２突起部２９７を第１部材２９２の第２溝部２９５に摺動可能に収容できるよう、第２突起部２９７が第１部材２９２の第２溝部２９５から掛着されることができるよう、第２部材２９４を設置できる。第２部材２９４がロックされない場合、第２部材２９４を、第１部材２９２の溝部２９５に沿ってＸ方向に移動自在とできる。第２部材２９４は、Ｘ方向、すなわちＹ軸に概ね垂直な平面上のＸ軸に沿って可動である。
【００５９】
調整可能プローブ２９６を第２部材２９４に配置できる。プローブ２９６は、第２部材２９４とともに移動することができる。プローブ２９６の位置は調整可能である。プローブ２９６は、ある位置でカメラのボタンと係合することができる。
【００６０】
第１および第２部材２９２、２９４は、概ね長方形のスライディングブロックの態様とできる。第１および第２のＴ字形状溝部ならびに第１および第２突起部２９１、２９３、２９５、２９７を、アクチュエータブロック２９０ならびに第１および第２部材２９２、２９４と一体的に形成できる。第１突起部２９１および第１溝部２９３をアクチュエータブロック２９０および第１部材２９２にそれぞれ形成することを図示し説明したが、代わりに、第１突起部２９１を第１部材２９２に形成でき、第１溝部２９３をアクチュエータブロック２９０に形成することもできることは理解されよう。同様に、第２突起部２９７を第１部材２９２に形成でき、第２溝部２９５を第２部材２９４に形成することもできる。
【００６１】
図３２乃至図３４は、シャッタアクチュエータ機構２２２のさらに他の実施形態を示す。シャッタアクチュエータ機構２２２は、アクチュエータシャフト２４０と、シャッタノブ２４２と、アクチュエータブロック２９０と、スライディング部材２９２と、スライディングプローブ２９６と、を有することができる。
【００６２】
アクチュエータブロック２９０を、長方形あるいは他の形状の態様とすることができる。アクチュエータブロック２９０を、２つのスロット３９０を有するよう形成できる。スライディング部材２９２を、アクチュエータブロック２９０の２つのスロット３９０からそれぞれ掛着されかつアクチュエータブロック２９０の２つのスロット３９０に沿ってそれぞれ摺動可能な２つのスライダ４９０を有するよう形成できる。スライディング部材２９２は、２つのスロット３９０に沿ってＹ方向に移動自在とできる。スライディング部材２９２は、Ｙ方向、すなわちアクチュエータシャフト２４０の軸に概ね垂直な平面上のＹ軸に沿って可動である。
【００６３】
スライディング部材２９２を、スロット３９２を有するよう形成できる。スライディングプローブ２９６を、スライディング部材２９２のスロット３９２からそれぞれ掛着されかつスライディング部材２９２のスロット３９２に沿ってそれぞれ摺動可能なスライダ４９２を有するよう形成できる。スライディングプローブ２９６は、スロット３９２に沿ってＸ方向に摺動自在である。プローブ２９６は、ある位置でカメラのボタンと係合することができる。
【００６４】
アクチュエータブロック２９０、スライディング部材２９２およびスライディングプローブ２９６はプラスチック、金属あるいは他の適当な材料で形成できる。
【００６５】
本実用新案登録出願において開示されるユーザ調整可能な防水カメラケースをいくつかの好ましい実施形態を特に参照して図示し説明したが、添付の実用新案請求の範囲から逸脱することなく種々の変形および変更を行うことができることを述べておく。
【符号の説明】
【００６６】
１０  カメラケース
１２  前部ハウジング
１４  後部ハウジング
１６  キャビティ
１８  ヒンジ
２０  オン／オフ・アクチュエータアセンブリ／機構
２２  シャッタアクチュエータアセンブリ／機構
２４  右ハンドル
２６  左ハンドル
２８  脚部
３０  ヒールプレート
１４０  作動シャフト
１５０  アクチュエータブロック
１６０  調整可能プローブ
１６０  プローブ
１６４  プローブシャフト
２２２  シャッタアクチュエータ機構
２４０  アクチュエータシャフト
２４２  シャッタノブ
２７０  アクチュエータブロック
２７６  プローブシャフト
２８２  スロット
２９０  アクチュエータブロック
２９１  第１突起部
２９２  第１部材
２９３  第１溝部
２９４  第２部材
２９５  第２溝部
２９６  調整可能プローブ
２９７  第２突起部
３７０  アクチュエータブロック
３７６  プローブシャフト
３８２  スロット
３９０  スロット
３９２  スロット
４９０  スライダ
４９２  スライダ
【図１】
0003175590.tif 000003
【図２】
0003175590.tif 000004
【図３】
0003175590.tif 000005
【図４】
0003175590.tif 000006
【図５】
0003175590.tif 000007
【図６】
0003175590.tif 000008
【図７】
0003175590.tif 000009
【図８】
0003175590.tif 000010
【図９】
0003175590.tif 000011
【図１０】
0003175590.tif 000012
【図１１】
0003175590.tif 000013
【図１２】
0003175590.tif 000014
【図１３】
0003175590.tif 000015
【図１４】
0003175590.tif 000016
【図１５】
0003175590.tif 000017
【図１６】
0003175590.tif 000018
【図１７】
0003175590.tif 000019
【図１８】
0003175590.tif 000020
【図１９】
0003175590.tif 000021
【図２０】
0003175590.tif 000022
【図２１】
0003175590.tif 000023
【図２２】
0003175590.tif 000024
【図２３】
0003175590.tif 000025
【図２４】
0003175590.tif 000026
【図２５】
0003175590.tif 000027
【図２６】
0003175590.tif 000028
【図２７】
0003175590.tif 000029
【図２８】
0003175590.tif 000030
【図２９】
0003175590.tif 000031
【図３０】
0003175590.tif 000032
【図３１】
0003175590.tif 000033
【図３２】
0003175590.tif 000034
【図３３】
0003175590.tif 000035
【図３４】
0003175590.tif 000036